(57)【要約】【課題】縦板に上横板と下横板とを取り外し可能な固定部を設けることにより、上横板と下横板とを簡単に交換することができる遊技機取付用の島枠を提供する。【解決手段】島枠１４は、遊技機５０の両側に位置する一対の縦板１６と、遊技機５０の上側に位置して外枠５２が取り付けられる上横板２０と、遊技機５０の下側に位置して外枠５２が取り付けられる下横板２２とを備える。上横板２０及び下横板２２の両端部は、両縦板１６に取り外し可能に固定される。【選択図】図１
2007319443.tif 000002
【特許請求の範囲】
【請求項１】
遊技機の外枠が取り付けられる遊技機取付用の島枠において、
前記島枠は、前記遊技機の両側に位置する一対の縦板と、前記遊技機の上側に位置して前記外枠が取り付けられる上横板と、前記遊技機の下側に位置して前記外枠が取り付けられる下横板とを備え、
前記上横板及び下横板の両端部は、前記両縦板に取り外し可能に固定されていることを特徴とする遊技機取付用の島枠。
【請求項２】
前記縦板は、貫通孔が形成された固定部を備え、前記貫通孔を貫通する固定部材にて前記上横板及び下横板は前記固定部に取り外し可能に固定されていることを特徴とする請求項１に記載の遊技機取付用の島枠。
【請求項３】
前記固定部は、前記縦板に取り付けられた保持具にて構成されていることを特徴とする請求項２に記載の遊技機取付用の島枠。
【請求項４】
前記保持具は、前記縦板の長手方向から前記上横板及び下横板が差し込まれる係合部を備えていることを特徴とする請求項３に記載の遊技機取付用の島枠。
【請求項５】
遊技機の外枠が取り付けられる遊技機取付用の島枠において、
前記島枠は、前記遊技機の両側に位置する一対の縦板と、前記遊技機の上側に位置して前記外枠が取り付けられる上横板と、前記遊技機の下側に位置して前記外枠が取り付けられる第１の下横板及び該第１の下横板の島内側に位置した第２の下横板とを備え、
前記第１の下横板の両端部は前記両縦板に取り外し可能に固定され、前記第２の下横板は前後移動可能で且つ取り外し可能に前記両縦板に保持されていると共に、
前記遊技機の外枠は前記第２の下横板に取り付けられ、更に前後位置調整用の取付具を介して前記外枠は前記第１の下横板に取り付けられていることを特徴とする遊技機取付用の島枠。
【発明の詳細な説明】
【技術分野】
【０００１】
本発明は、遊技機の外枠が固定される遊技機取付用の島枠に関するものである。
【背景技術】
【０００２】
従来より遊技ホール内には複数のパチンコ機やスロットマシンなどの遊技機が配設されていた。遊技機は、遊技島に一体に設けられた遊技機取付用の、木製の島枠に取付固定されていた。該島枠は、遊技機の両側に配置された一対の縦板と、この縦板の上下に配置された上横板と下横板とから構成されていた。
【０００３】
そして、島枠に遊技機を取り付ける場合は、遊技機の周囲に設けられた外枠を島枠内に嵌め込み、遊技機の外枠（上横板と下横板）と島枠の両者に釘を打ち込んで固定していた。即ち、遊技機は外枠の上下に釘が打ち込まれることにより、島枠の上下の枠板に固定されていた。これにより、複数の遊技機を確実に島枠に固定すると共に、各遊技機は上部を少し後方に傾斜させ状態で島枠に取り付けられていた（特許文献１参照）。
【０００４】
【特許文献１】特開平０８―８４８４０号公報
【発明の開示】
【発明が解決しようとする課題】
【０００５】
遊技機業界では遊技機を新しいものに入れ換えることにより、より多くの集客を行うようにしていた。しかしながら、１年或いは数年に複数回遊技機が入れ換えられると、島枠を構成する上下の枠板には遊技機を固定したときの釘孔が残ってしまう。この遊技機の外枠には毎回略同じ箇所に釘が打ち込まれ島枠に固定されていた。該遊技機を新しいものに入れ換える際、古い遊技機を外したときに島枠に残った釘孔に、再度釘が打ち込まれてしまう場合がある。このため、固定した遊技機にガタ付きが発生してしまうと言う問題があった。
【０００６】
また、島枠は遊技島に一体に取り付けられていたため、島枠に数多くの釘孔が残っている場合、取り付けられた遊技機にガタ付きなどが発生しないように、遊技島全体を分解して島枠を交換しなければならなかった。
【０００７】
また、近年では金属製の島枠が主流になりつつある。該金属製の島枠は、一般的に縦板と上横板及び下横板は溶接固定されているので、上横板及び下横板に釘孔が残ってしまった場合、島枠を交換しなければならない。このため、上横板と下横板の交換には、やはり遊技島全体を分解して島枠を交換しなければならなかった。
【０００８】
そこで、遊技島全体を分解して島枠を交換せずに、島枠を構成する上横板と下横板だけを簡単に交換することができる遊技機取付用の島枠の開発が望まれていた。
【０００９】
本発明は、係る従来技術の課題を解決するために成されたものであり、縦板に上横板と下横板とを取り外し可能な固定部を設けることにより、上横板と下横板とを簡単に交換することができる遊技機取付用の島枠を提供することを目的とする。
【課題を解決するための手段】
【００１０】
即ち、本発明の遊技機取付用の島枠は、遊技機の外枠が取り付けられるものであって、島枠は、遊技機の両側に位置する一対の縦板と、遊技機の上側に位置して外枠が取り付けられる上横板と、遊技機の下側に位置して外枠が取り付けられる下横板とを備え、上横板及び下横板の両端部は、両縦板に取り外し可能に固定されていることを特徴とする。
【００１１】
また、請求項２の発明の遊技機取付用の島枠は、上記に加えて、縦板は、貫通孔が形成された固定部を備え、貫通孔を貫通する固定部材にて上横板及び下横板は固定部に取り外し可能に固定されていることを特徴とする。
【００１２】
また、請求項３の発明の遊技機取付用の島枠は、請求項２において、固定部は、縦板に取り付けられた保持具にて構成されていることを特徴とする。
【００１３】
また、請求項４の発明の遊技機取付用の島枠は、請求項３において、保持具は、縦板の長手方向から上横板及び下横板が差し込まれる係合部を備えていることを特徴とする。
【００１４】
また、請求項５の発明の遊技機取付用の島枠は、遊技機の外枠が取り付けられるものであって、島枠は、遊技機の両側に位置する一対の縦板と、遊技機の上側に位置して外枠が取り付けられる上横板と、遊技機の下側に位置して外枠が取り付けられる第１の下横板及び該第１の下横板の島内側に位置した第２の下横板とを備え、第１の下横板の両端部は両縦板に取り外し可能に固定され、第２の下横板は前後移動可能で且つ取り外し可能に両縦板に保持されていると共に、遊技機の外枠は第２の下横板に取り付けられ、更に前後位置調整用の取付具を介して外枠は第１の下横板に取り付けられていることを特徴とする。
【発明の効果】
【００１５】
本発明では、遊技機の外枠が取り付けられる遊技機取付用の島枠において、島枠は、遊技機の両側に位置する一対の縦板と、遊技機の上側に位置して外枠が取り付けられる上横板と、遊技機の下側に位置して外枠が取り付けられる下横板とを備え、上横板及び下横板の両端部は、両縦板に取り外し可能に固定されているので、遊技機の着脱により上横板及び下横板に固定部材の孔が残ってしまった場合には、上横板及び下横板を短時間、且つ、容易に交換することができる。これにより、例えば、従来のように遊技機の交換時に残った釘孔に再度固定部材が打ち込まれて遊技機にガタ付きが発生するような場合には、島枠から上横板と下横板だけを交換して遊技機と島枠とのガタ付きを確実に抑えることができる。従って、従来のように遊技島全体を分解して島枠を交換しなくても、上横板と下横板とを交換するだけで確実に遊技機を固定することができるようになる。
【００１６】
請求項２の発明では、縦板に貫通孔が形成された固定部を備え、貫通孔を貫通する固定部材にて上横板及び下横板は固定部に取り外し可能に固定すれば、縦板に固定した上横板と下横板を極めて容易に交換することが可能となる。これにより、例えば、従来のように遊技機の交換時に残った釘孔に再度固定部材が打ち込まれて遊技機にガタ付きが発生するような場合には、島枠から上横板と下横板だけを交換して遊技機と島枠とのガタ付きを確実に抑えることができる。従って、従来のように遊技島全体を分解して島枠を交換しなくても、上横板と下横板とを交換するだけで確実に遊技機を固定することができるようになる。
【００１７】
また、請求項３の発明では、固定部は、縦板に取り付けられた保持具にて構成されているので、例えば従来使用している島枠にも保持具を取り付けることが可能となる。これにより、島枠に固定された上横板と下横板とを簡単に交換することができるので、遊技機と島枠とのガタ付きを確実に抑えることができる。従って、例えば従来のように遊技島全体を分解することなく上横板及び島枠を交換して遊技機を固定することができるので、従来の遊技島を有効に活用することができ、コストの削減を行うことができるようになるものである。
【００１８】
また、請求項４の発明では、保持具は、縦板の長手方向から上横板及び下横板が差し込まれる係合部を備えているので、上横板及び下横板を縦板の長手方向内側に移動させるだけで、上横板及び下横板を保持具から外すことができる。これにより、例えば、遊技機の裏側に設置された、流れ玉入れ箱を外さなくても、下横板を外すことが可能となる。従って、縦板に固定された上横板と下横板を極めて簡単に交換することができ、遊技機取付用の島枠の利便性を大幅に向上させることができる。
【００１９】
また、請求項５の発明では、遊技機の外枠が取り付けられる遊技機取付用の島枠において、島枠は、遊技機の両側に位置する一対の縦板と、遊技機の上側に位置して外枠が取り付けられる上横板と、遊技機の下側に位置して外枠が取り付けられる第１の下横板及び該第１の下横板の島内側に位置した第２の下横板とを備え、第１の下横板の両端部は両縦板に取り外し可能に固定され、第２の下横板は前後移動可能で且つ取り外し可能に両縦板に保持されていると共に、遊技機の外枠は第２の下横板に取り付けられ、更に前後位置調整用の取付具を介して外枠は第１の下横板に取り付けられているので、例えば島枠が金属製にて構成されている場合でも、上横板と下横板とを交換することができるようになると共に遊技機の前後方向の傾斜角度を容易に調整することができる。これにより、島枠全体を分解することなく上横板及び下横板（第１の下横板と第２の下横板）を交換することが可能となる。従って、木製及び金属製の双方の島枠の上横板と下横板を容易に交換することができ、総じて、遊技機取付用の島枠の利便性を大幅に向上させることができるようになるものである。
【発明を実施するための最良の形態】
【００２０】
本発明は、遊技機の交換時に残った釘孔に再度釘が打ち込まれて遊技機にガタ付きが発生するような場合、縦板に固定された上横板と下横板とを簡単に交換でき、且つ、遊技機のガタ付きを抑えることを最も主要な特徴とする。縦板に固定された上横板と下横板とを簡単に交換するという目的を縦板に固定部を備えるだけの簡単な構造で実現した。
【実施例１】
【００２１】
以下、本発明の実施の形態を図面に基づいて説明する。図１は本発明の一実施例を示す遊技機取付用の島枠１４を備えた遊技島１０（一部）の正面図、図２は同図１から遊技機５０を除いた遊技島１０の拡大正面図、図３は島枠１４の正面図をそれぞれ示している。
【００２２】
本実施形態における遊技機取付用の島枠１４は、パチンコ機やメダル機（スロットマシン）などの、遊技機５０（実施例ではパチンコ機）が取り付けられるもので、図１に示すように、遊技ホール（図示せず）に設置された遊技島１０（本発明の島に相当）に複数設置されている。該島枠１４には、複数の遊技機５０（実際には各島枠１４に２台ずつ）が設置されると共に、遊技島１０には複数の島枠１４が隣接して設けられると共に、複数隣接して設けられた島枠１４が並設されている。尚、１２は呼出ランプ、５４は図示しないが隣接する遊技機５０に関する情報表示を行う表示部や、金銭投入部、若しくは、プリペイドカード投入部、或いは、玉貸し機などを備えた台間機である。
【００２３】
島枠１４は、図２、図３に示すように遊技機５０の両側に位置する一対の縦板１６、１６と、遊技機５０の上側に位置して外枠５２が取り付けられる上横板２０と、遊技機５０の下側に位置して外枠５２が取り付けられる下横板２２とを備えている。縦板１６は、所定の長さ、所定の幅、所定の厚さの板材にて構成されており、上下両端には固定部材４０（実施例では釘）にて保持具２８が固定されている（図５に図示）。
【００２４】
該保持具２８は、図４に示すように縦板１６に固定される固定片３０と、縦板１６の長手方向（島枠１４の内側）から上横板２０及び下横板２２を差し込み可能な係合部３２とから構成されている。保持具２８は、鉄、真鍮、アルミニウムなどの金属製にて、所定の厚さにて構成されている。該固定片３０は、所定の長さ（縦板１６の幅と略同等の長さ）に形成されると共に、係合部３２は固定片３０の略中央部より直角に所定寸法延在している。即ち、保持具２８は、固定片３０と、この固定片３０の略中央部から直角方向に延在する係合部３２とからＴ字状に形成されている。
【００２５】
また、保持具２８の固定片３０には、係合部３２両側の所定位置に固定孔３４が設けられると共に、この固定孔３４は固定片３０を貫通して設けられている。そして、保持具２８の固定孔３４に、固定部材４０が挿入されて、保持具２８は縦板１６に固定される。具体的には、図５、図６に示すように固定片３０の長手方向を縦板１６の幅方向に延在させた状態で、保持具２８を縦板１６の上下両端にそれぞれ配置される。この状態で、固定片３０の両固定孔３４に固定部材４０が挿入されて打ち込まれることにより保持具２８が縦板１６の上下両端に固定される。
【００２６】
また、保持具２８の係合部３２には、固定部材４０の直径より僅か大径の貫通孔３４Ａが設けられており、この貫通孔３４Ａは係合部３２の所定位置に設けられると共に、係合部３２を貫通して設けられている。この貫通孔３４Ａの直径は、固定片３０に設けた各固定孔３４の２〜３倍の大きさに形成され、後述する上横板２０、及び、下横板２２に打ち込まれる固定部材４０の位置合わせが容易に行えるようになっている。尚、貫通孔３４Ａは、係合部３２の長手方向に延在する長孔、或いは、長手方向に延在するＵ字溝などであっても差し支えない。
【００２７】
ここで、遊技島１０の表側には化粧板（図示せず）が取り付けられているため、上横板２０及び下横板２２は、遊技島１０の表側（遊技機５０で遊技を行う側の面）から島枠１４に取り付けることができない。また、下横板２２の上には流れ玉入れ箱が載置して取り付けられており、遊技島１０の内側からも下横板２２を取り付けることができない。そこで、上横板２０には、図６に示すように長手方向両端に切欠部２４が設けられており、この切欠部２４は上横板２０の幅方向中央が所定幅、所定長さ切り欠かれることにより形成されている。尚、遊技島１０の内側とは、複数の島枠１４が並設された島枠１４と島枠１４との間（島枠１４に固定され、並設された遊技機５０の裏面側）を言う。
【００２８】
該切欠部２４は、図６矢印で示すように縦板１６の上端部に保持具２８が固定部材４０にて固定された状態で、保持具２８の係合部３２に縦板１６の長手方向（下方側）から挿入できるように構成されている。図６では、上横板２０の切欠部２４を一方（右側）だけを図示しているが、他方（左側）も右側の切欠部２４同様の切欠部（図示せず）が設けられている。また、下横板２２も上横板２０同様、両端に切欠部（図示せず）が設けられている。即ち、上横板２０と下横板２２は同様に構成されている。尚、図６では縦板１６の上部のみ図示している。
【００２９】
そして、図７に示すように島枠１４の両側の上両端（縦板１６の上両端）に固定された保持具２８に、下方から上横板２０の切欠部２４が挿入される（図７矢印）。そして、保持具２８に上横板２０の切欠部２４が挿入されたら、上横板２０の幅方向側面から切欠部２４方向に固定部材４０が打ち込まれて、上横板２０が両島枠１４（島枠１４を構成する両側の縦板１６）の上両端に固定される。以降、島枠１４を構成する両側の縦板１６を、端に両縦板１６と称す。
【００３０】
このとき、固定部材４０は、上横板２０の切欠部２４が挿入された係合部３２の貫通孔３４Ａ内に打ち込まれる。尚、上横板２０の側面に予め目印を設け、この目印に固定部材４０を打ち込むことにより、係合部３２の貫通孔３４Ａ内に確実に固定部材４０を打ち込めるようにしても良い。該目印としては、保持具２８に上横板２０の切欠部２４が挿入された状態で、係合部３２の貫通孔３４Ａに位置する箇所に小さな案内孔（図示せず）を設ける。或いは、小さな案内孔の代わりに凹みや、ペイントなどでマークを付けても良い。これにより、上横板２０の側面から係合部３２の貫通孔３４Ａ内に固定部材４０を確実に打ち込むことができ便利である。
【００３１】
また、下横板２２も上横板２０同様、島枠１４の両側の下両端（縦板１６の下両端）に固定された保持具２８に、上方から下横板２２の切欠部２４が挿入される（図７矢印）。そして、保持具２８に、下横板２２の切欠部２４が挿入されたら、下横板２２の幅方向側面から切欠部２４方向に固定部材４０が打ち込まれて、下横板２２が両縦板１６の下両端に固定される。
【００３２】
このとき、固定部材４０は下横板２２の切欠部２４が挿入された係合部３２の貫通孔３４Ａ内に打ち込まれる。尚、下横板２２も上横板２０同様に側面に予め目印を設けても良い。そして、この目印に固定部材４０を打ち込むことにより、係合部３２の貫通孔３４Ａ内に確実に固定部材４０を打ち込むことができる。これにより、下横板２２の側面から係合部３２の貫通孔３４Ａ内に固定部材４０を確実に打ち込むことができ便利である。
【００３３】
このように、縦板１６に保持具２８を取り付けることができるので、例えば従来使用していた島枠１４にも保持具２８を取り付けることが可能となる。これにより、遊技機５０の交換時に再度固定部材４０が打ち込まれて遊技機５０にガタ付きが発生するような場合などは、縦板１６に固定された上横板２０と下横板２２とを簡単に交換することができるので、島枠１４を半永久的に使用することが可能になり、遊技機５０と島枠１４とのガタ付きを確実に抑えることができる。また、従来のように遊技島１０全体を分解することなく上横板２０及び島枠１４を交換することができるので、従来の遊技島１０を有効に活用することができる。
【００３４】
また、保持具２８は、縦板１６の長手方向一側から上横板２０及び下横板２２が差し込まれる係合部３２を備えているので、上横板２０及び下横板２２を島枠１４の内側方向に移動（この場合、上横板２０は下横板２２方向に移動、下横板２２は上横板２０方向に移動）させるだけで、上横板２０及び下横板２２を保持具２８から外すことができる。
【００３５】
これにより、例えば、遊技機５０の裏側に設置された、図示しない流れ玉入れ箱を外さなくても、下横板２２を外すことが可能となる。また、縦板１６に固定された上横板２０と下横板２２とを極めて簡単に交換することができるので、遊技機５０取付用の島枠１４の利便性を大幅に向上させることができる。尚、下横板２２を遊技島１０の内部方向に移動して縦板１６から外す場合は、流れ玉入れ箱を外してから下横板２２を縦板１６から外すことになるので、下横板２２の着脱が面倒であった。
【実施例２】
【００３６】
次に、図８には本発明の他の実施例の遊技機取付用の島枠１４に取り付け固定される保持具２８を示している。該島枠１４は、前述の実施例と略同じ構成を有している。以下、異なる部分について説明する。尚、前述の実施例と同じ部分にはこれと同じ符号を付し、説明を省略する。
【００３７】
保持具２８は、図８に示すように縦板１６に固定される固定片３０と、縦板１６の長手方向横面（島枠１４の前後面）から上横板２０及び下横板２２を差し込み可能な係合部３２とから構成されている。保持具２８は、鉄、真鍮、アルミニウムなどの金属製にて、所定の厚さにて構成されている。該固定片３０は、所定の長さ（縦板１６の幅と略同等の長さ）に形成されると共に、係合部３２は固定片３０の上下が略直角に折曲されて、所定寸法延在している。即ち、保持具２８は、固定片３０とこの固定片３０の上下両側が略直角に折れ曲がって所定寸法延在する係合部３２とから側面コ字状に形成されている。この両係合部３２、３２間に上横板２０及び下横板２２の端部を挿入できるように構成されている。
【００３８】
また、保持具２８の固定片３０には、長手方向両側の所定位置に固定孔３４が設けられており、この固定孔３４は固定片３０を貫通して設けられている。該保持具２８は、固定孔３４に固定部材４０が挿入されて打ち込まれることにより縦板１６に固定される。具体的には、図９、図１０に示すように固定片３０の長手方向を縦板１６の幅方向に延在させた状態で、保持具２８を縦板１６の上下両端にそれぞれ配置される。この状態で、固定片３０の両固定孔３４内に固定部材４０が挿入されて打ち込まれることにより、保持具２８が縦板１６の上下両端に固定される。尚、図１０では縦板１６の上部のみ図示している。
【００３９】
また、保持具２８の係合部３２には、貫通孔３４Ａが設けられている。該貫通孔３４Ａは両係合部３２の所定位置に設けられると共に、両係合部３２を貫通して設けられている。この貫通孔３４Ａの直径は、固定部材４０を挿通可能に形成されると共に、固定部材４０の頭部が貫通しない大きさに形成されている。
【００４０】
該上横板２０は、図１０に示すように長手方向両端に挿入部２６が設けられており、この挿入部２６は上横板２０の両面が所定厚さ、所定長さ切り欠かれてその間に形成されている。即ち、上横板２０両端の上下面が、所定厚さ、所定長さ切り欠かれて、上横板２０は、側面凸形状に形成されている。この挿入部２６は、図１０矢印で示すように縦板１６の上端部に保持具２８が固定部材４０にて固定された状態で、保持具２８の係合部３２に縦板１６の前後方向の何れかの方向（実際は後方）から挿入される。
【００４１】
そして、保持具２８と上横板２０は、保持具２８上下の係合部３２、３２間に上横板２０挿入部２６が挿入された状態で、上横板２０の上下面と保持具２８の係合部３２外面とが平面になるように構成されている。尚、図１０では上横板２０の挿入部２６を一方（右側）だけ図示しているが、他方（左側）も右側の挿入部２６同様の挿入部２６（図示せず）が設けられている。また、下横板２２も上横板２０同様、両端に挿入部２６（図示せず）が形成されている。即ち、上横板２０と下横板２２は同様に構成されている。
【００４２】
そして、図１１に示すように両縦板１６の上両端に固定された保持具２８に、縦板１６の前後方向から（実際は後方側から）上横板２０の挿入部２６が挿入される。そして、保持具２８に上横板２０の挿入部２６が挿入されたら、係合部３２の各貫通孔３４Ａに、島枠１４の内側（下横板２２側）から、固定部材４０が打ち込まれて上横板２０が両島枠１４の上両端に固定される。
【００４３】
また、下横板２２も上横板２０同様、両縦板１６の下両端に固定された保持具２８に、縦板１６の後方向側から下横板２２の挿入部２６が挿入される。そして、保持具２８に下横板２２の挿入部２６が挿入されたら、係合部３２の各貫通孔３４Ａに、島枠１４の内側（上横板２０側）から、固定部材４０が打ち込まれて下横板２２が両縦板１６の下両端に固定される。
【００４４】
このように、縦板１６に保持具２８を取り付けられるように構成しているので、例えば従来使用していた島枠１４にも保持具２８を取り付けることが可能となる。これにより、遊技機５０の交換時に再度固定部材４０が打ち込まれて遊技機５０にガタ付きが発生するような場合などは、縦板１６に固定された上横板２０と下横板２２とを簡単に交換することができるので、遊技機５０と島枠１４とのガタ付きを確実に抑えることができ、実施例１同様の効果を得ることが可能となる。また、従来のように遊技島１０全体を分解することなく、上横板２０及び下横板２２を交換することができるので、従来の遊技島１０を有効に活用することができる。
【実施例３】
【００４５】
次に、図１２には本発明の他の実施例の遊技機取付用の島枠１４に取り付け固定する保持具２８を示している。該島枠１４は、前述の実施例と略同じ構成を有している。以下、異なる部分について説明する。尚、前述の実施例と同じ部分にはこれと同じ符号を付し、説明を省略する。
【００４６】
保持具２８は、図１２に示すように縦板１６に固定される固定片３０と、縦板１６の長手方向横面（島枠１４の前後面）から上横板２０及び下横板２２を差し込み可能な係合部３２とから構成されている。保持具２８は、鉄、真鍮、アルミニウムなどの金属製にて、所定の厚さにて構成されている。
【００４７】
該固定片３０は、所定の長さ（縦板１６の幅と略同等の長さ）に形成されると共に、係合部３２は固定片３０の一側が略直角に折曲されて、所定寸法延在している。即ち、保持具２８は、固定片３０とこの固定片３０の一側が略直角に折れ曲がって所定寸法延在する係合部３２とから側面Ｌ字状に形成され、係合部３２に上横板２０及び下横板２２の端部が係合できるように構成されている。
【００４８】
また、保持具２８の固定片３０には、長手方向両側の所定位置に固定孔３４が設けられており、この固定孔３４は固定片３０を貫通して設けられている。該保持具２８は、固定孔３４に固定部材４０が挿入されて打ち込まれることにより縦板１６に固定される。具体的には、図１３、図１４に示すように固定片３０の長手方向を縦板１６の幅方向に延在させた状態で、保持具２８を縦板１６の上下両端にそれぞれ配置される。
【００４９】
このとき、縦板１６の上端部に取り付けられる保持具２８（係合部３２）は、固定片３０に対して縦板１６の下端部方向に配置される。また、縦板１６の下端部に取り付けられる保持具２８（係合部３２）は、固定片３０に対して縦板１６の上端部方向に配置される。この状態で、固定片３０の両固定孔３４内に固定部材４０が挿入されて打ち込まれることにより保持具２８が縦板１６の上下両端に固定される。尚、図１４では縦板１６の上部のみ図示している。
【００５０】
また、保持具２８の係合部３２には、貫通孔３４Ａが設けられており、この貫通孔３４Ａは両係合部３２の所定位置に設けられると共に、両係合部３２を貫通して設けられている。この貫通孔３４Ａの直径は、固定部材４０を挿通可能に形成されると共に、固定部材４０の頭部が貫通しない大きさに形成されている。
【００５１】
該上横板２０は、図１４に示すように当該上横板２０の長手方向両端に挿入部２６が設けられており、この挿入部２６は上横板２０の片面が所定厚さ、所定長さ切り欠かれ、その反対側に形成されている。即ち、上横板２０両端の一側面が、所定厚さ、所定長さ切り欠かれて、上横板２０は、階段状に形成されている。この挿入部２６は、図１４矢印に示すように縦板１６の上端部に保持具２８が固定部材４０にて固定された状態で、保持具２８の係合部３２に縦板１６の前後面の何れかの方向から挿入される。このとき、上横板２０の切り欠かれた部分は、保持具２８の係合部３２に係合される。
【００５２】
そして、上横板２０の上下面と保持具２８（係合部３２）の外面は、保持具２８の係合部３２に上横板２０の挿入部２６が係合された状態で平面になるように構成されている。尚、図１４では上横板２０の挿入部２６を一方（右側）だけ図示しているが、他方（左側）にも右側同様の挿入部（図示せず）が対向して設けられている。また、下横板２２も上横板２０同様、両端に挿入部（図示せず）が形成されている。即ち、上横板２０と下横板２２は同様に構成されている。
【００５３】
そして、図１５に示すように両縦板１６の上両端に固定された保持具２８に、縦板１６の前後方向から（実際は後方側から）上横板２０の挿入部２６が係合される。そして、保持具２８に上横板２０の挿入部２６が係合されたら、係合部３２の各貫通孔３４Ａに、島枠１４の内側（下横板２２側）から、固定部材４０が打ち込まれて上横板２０が両縦板１６の上両端に固定される。
【００５４】
また、下横板２２も上横板２０同様、両縦板１６の下両端に固定された保持具２８に、縦板１６の後方向側から下横板２２の挿入部２６が挿入される。そして、保持具２８に下横板２２の挿入部２６が係合されたら、係合部３２の各貫通孔３４Ａに、島枠１４の内側（上横板２０側）から、固定部材４０が打ち込まれて下横板２２が両縦板１６の下両端に固定される。
【００５５】
このように、縦板１６に保持具２８を取り付け固定しているので、例えば従来使用していた島枠１４にも保持具２８を取り付けることが可能となる。これにより、遊技機５０の交換時に再度固定部材４０が打ち込まれて遊技機５０にガタ付きが発生するような場合などは、縦板１６に固定された上横板２０と下横板２２とを簡単に交換することができるので、遊技機５０と島枠１４とのガタ付きを確実に抑えることができ、実施例１同様の効果を得ることが可能となる。また、従来のように遊技島１０全体を分解することなく上横板２０及び島枠１４を交換することができるので、従来の遊技島１０を有効に活用することができる。
【実施例４】
【００５６】
次に、図１６には本発明の他の実施例の遊技機取付用の島枠１４を示している。該島枠１４は、前述の実施例と略同じ構成を有している。以下、異なる部分について説明する。尚、前述の実施例と同じ部分にはこれと同じ符号を付し、説明を省略する。
【００５７】
島枠１４は、所定の厚さの鉄板、真鍮板、アルミニウム板などの金属製にて、角筒形にて構成されている。該島枠１４は、図１６に示すように縦板１６の一部が略直角に折曲（図１６矢印）されて、固定部１８が形成されている。即ち、固定部１８は、縦板１６の所定範囲が、当該縦板１６の長手方向に直交して折曲されることにより形成されている。
【００５８】
該固定部１８のは縦板１６の略中央に位置して上横板２０の長手方向に所定寸法延在すると共に、幅は上横板２０の厚さと略同等の幅に形成されている。固定部１８には固定部材４０が貫通可能な貫通孔１９が設けられている。即ち、実施例４の縦板１６は金属製にて構成されると共に、前記実施例１の縦板１６に保持具２８を固定したものと同様に構成されている。他、上横板２０及び下横板２２は実施例１同様に固定されている。
【００５９】
このように、島枠１４は、遊技機５０の両側に位置する一対の縦板１６と、遊技機５０の上側に位置して外枠５２が取り付けられる上横板２０と、遊技機５０の下側に位置して外枠５２が取り付けられる下横板２２とを備えている。該上横板２０及び下横板２２の両端部は、両縦板１６に取り外し可能に構成されているので、遊技機５０の着脱により上横板２０及び下横板２２に固定部材４０の孔が残ってしまった場合には、上横板２０及び下横板２２を短時間、且つ、容易に交換することができる。
【００６０】
これにより、遊技機５０の交換時に残った孔に再度固定部材４０が打ち込まれて遊技機５０にガタ付きが発生するような場合には、縦板１６から上横板２０と下横板２２とを交換することができるので、遊技機５０と島枠１４とのガタ付きを確実に抑えることができる。また、従来のように遊技島１０全体を分解して島枠を交換しなくても、短時間で上横板２０と下横板２２とを交換することが可能となる。これにより、金属製の島枠にも遊技機５０をガタ付きなく確実に島枠１４（上横板２０及び下横板２２）に固定することができる。
【実施例５】
【００６１】
次に、図１７には本発明の他の実施例の遊技機取付用の島枠１４を示している。該島枠１４は、前述の実施例と略同じ構成を有している。以下、異なる部分について説明する。尚、前述の実施例と同じ部分にはこれと同じ符号を付し、説明を省略する。
【００６２】
島枠１４は、所定の厚さの鉄板、真鍮板、アルミニウム板などの金属製にて、角筒形に構成されている。該島枠１４は、図１７に示すように縦板１６の一部が略直角に折曲（図１７矢印）されて、固定部１８が形成されている。即ち、固定部１８は、縦板１６の所定範囲が、当該縦板１６の長手方向に折曲されることにより形成されている。
【００６３】
該固定部１８は、縦板１６の上下端近傍に位置して上横板２０の長手方向に所定寸法延在すると共に、固定部１８は上横板２０の幅と略同等の幅で折曲されている。該固定部１８には貫通孔１９が設けられており、この貫通孔１９は固定部材４０を貫通可能に構成されている。該貫通孔１９は、縦板１６の幅方向に渡って所定位置に２箇所設けられている。即ち、実施例５の縦板１６は、前記実施例３の縦板１６に保持具２８を固定したものと同様に構成され、上横板２０及び下横板２２は実施例３同様に固定される。
【００６４】
このように、島枠１４は、遊技機５０の両側に位置する一対の縦板１６と、遊技機５０の上側に位置して外枠５２が取り付けられる上横板２０と、遊技機５０の下側に位置して外枠５２が取り付けられる下横板２２とを備えている。該上横板２０及び下横板２２の両端部は、両縦板１６に取り外し可能に構成されているので、遊技機５０の着脱により上横板２０及び下横板２２に固定部材４０の孔が残ってしまった場合には、上横板２０及び下横板２２を短時間、且つ、容易に交換することができる。
【００６５】
これにより、遊技機５０の交換時に残った孔に、再度固定部材４０が打ち込まれて遊技機５０にガタ付きが発生するような場合には、縦板１６から上横板２０と下横板２２とを交換することができるので、遊技機５０と島枠１４とのガタ付きを確実に抑えることができる。従って、従来のように遊技島１０全体を分解して交換することなく、ガタ付きなく確実に遊技機５０を固定することができる。
【００６６】
特に、実施例４、５では金属製にて構成された縦板１６の一部を折曲して固定部１８を設けているので、前記実施例１〜３のように上横板２０及び下横板２２を固定するための保持具２８が不要となる。これにより、実施例１〜３に対して外枠５２のコストを大幅に低減させることができる。
【実施例６】
【００６７】
次に、図１８には本発明の他の実施例の遊技機取付用の島枠１４を示している。該島枠１４は、前述の実施例と略同じ構成を有している。以下、異なる部分について説明する。尚、前述の実施例と同じ部分にはこれと同じ符号を付し、説明を省略する。
【００６８】
島枠１４は、所定の厚さの鉄板、真鍮板、アルミニウム板などの金属製にて、角筒形に構成されている。該島枠１４は、図１８に示すように縦板１６の上下端部には実施例２で示した保持具２８が固定されている。即ち、保持具２８は、固定片３０の長手方向を縦板１６の幅方向に延在させた状態で、縦板１６の上下両端にそれぞれ配置されている。この状態で、固定片３０の両固定孔３４内に固定部材４０（この場合、固定部材は、ネジ、或いはボルトの方が好ましい。）が挿入されて固定されることにより、保持具２８が縦板１６の上下両端に固定される。尚、縦板１６と保持具２８は溶接固定であっても差し支えない。また、図１０では縦板１６の下部のみ図示し、遊技機５０は外枠５２のみ図示している。
【００６９】
該島枠１４は、遊技機５０の両側に位置する一対の縦板１６と、遊技機５０の上側に位置して、当該遊技機５０の外枠５２が取り付けられる上横板２０と、遊技機５０の下側に位置して、当該遊技機５０の外枠５２が取り付けられる下横板２２とから構成されている。下横板２２は、遊技機５０の前面側方向に位置する第１の下横板２２Ａと、この第１の下横板２２Ａの後側に位置する第２の下横板２２Ｂとから構成されている。
【００７０】
該上横板２０は実施例２で示した上横板２０同様に構成されている。また、第１の下横板２２Ａと第２の下横板２２Ｂは、当該第１の下横板２２Ａと第２の下横板２２Ｂが幅方向に並設された状態で、実施例２で示した下横板２２と略同様に構成されている。尚、第１の下横板２２Ａと第２の下横板２２Ｂの両端には挿入部２６同様の挿入部２６Ａがそれぞれ形成されている。
【００７１】
そして、第１の下横板２２Ａと第２の下横板２２Ｂが幅方向に並設され、両端の挿入部２６Ａが保持具２８の係合部３２、３２間に挿入され係合された状態で、第１の下横板２２Ａと第２の下横板２２Ｂとの間に所定の隙間を有している。即ち、保持具２８（固定片３０）の長さ寸法より、第１の下横板２２Ａと第２の下横板２２Ｂとを合わせた幅方向の寸法を所定寸法狭くして、第１の下横板２２Ａと第２の下横板２２Ｂとの間に所定幅の隙間を設けている。
【００７２】
この場合、固定片３０の一側（この場合、係合部３２、３２間の一側）に、固定部材４０にて第１の下横板２２Ａが固定された状態で、係合部３２、３２間に挿入した第２の下横板２２Ｂを、固定片３０の他側と第１の下横板２２Ａ間を移動できるように構成されている。尚、遊技島１０では、第１の下横板２２Ａの上に流れ玉入れ箱（図示せず）が載置されるので、第１の下横板２２Ａは流れ玉入れ箱を外してから、係合部３２、３２間に着脱する。
【００７３】
詳しくは、図１８矢印で示すように遊技島１０の内側から第２の下横板２２Ｂと第１の下横板２２Ａとが、縦板１６の上下端部に固定された保持具２８の係合部３２、３２間に順に挿入される。そして、遊技島１０の内側に位置する第１の下横板２２Ａは、保持具２８に固定部材４０にて固定される。尚、第２の下横板２２Ｂは、係合部３２、３２間に挿入するだけで、保持具２８には固定していない。
【００７４】
ここで、遊技機５０の下部（外枠５２）と第１の下横板２２Ａには、図１９に示すように遊技機５０の前後位置調整用の取付具４２が設けられている。この取付具４２は、第１の下横板２２Ａに固定される第１固定板４４と、遊技機５０の下部（外枠５２）に固定される第２固定板４６と、第１固定板４４と第２固定板４６とを相互に固定する蝶ネジ４８とから構成されている。尚、第１の下横板２２Ａと第１固定板４４、及び、遊技機５０の下部（外枠５２）と第２固定板４６は図示しない固定部材によって固定されている。
【００７５】
そして、遊技機５０は、遊技島１０の表側から島枠１４に嵌合された後、遊技機５０の上部（外枠５２）は、図示しない固定部材にて上横板２０に固定され、遊技機５０の下部（外枠５２）は、図示しない固定部材にて第２の下横板２２Ｂに固定される。該第１の下横板２２Ａは、遊技機５０を入れ換える度（この場合、第２の下横板２２Ｂを交換或いは外す）に固定部材４０にて保持具２８に固定されるが、毎回略同じ位置に固定部材４０にて固定されていた。
【００７６】
この場合、やはり第１の下横板２２Ａに固定部材４０の孔が残り、保持具２８に強固に固定できなってしまうため、遊技機５０にガタ付きが発生してしまう。このため、第１の下横板２２Ａも第２の下横板２２Ｂ同様交換する必要があった。また、遊技機５０は、島枠１４（第１の下横板２２Ａ）に固定された取付具４２（第１固定板４４）と、遊技機５０の下部（外枠５２）に固定された、取付具４２（第２固定板４６）とが蝶ネジ４８で螺合され相互に固定される。
【００７７】
該遊技機５０上部（外枠５２）が島枠１４の上横板２０に固定された状態で、蝶ネジ４８が緩められることにより、遊技機５０の下部は前後に移動できる。即ち、第２の下横板２２Ｂの挿入部２６Ａは、保持具２８の係合部３２、３２間に挿入されると共に、第１の下横板２２Ａと第２の下横板２２Ｂとの間に所定の隙間を有しているので、蝶ネジ４８を緩めるだけで、遊技機５０の下部を前後に移動することができる。これにより、遊技機５０の前後方向の傾斜角を容易に調整することができると共に、固定部材により孔が残った第２の下横板２２Ｂを容易に交換することができる。尚、第２の下横板２２Ｂを交換する場合は、第１の下横板２２Ａ上の流れ玉入れ箱を外した後、第１の下横板２２Ａを外し、第２の下横板２２Ｂを外せば容易に交換することができる。
【００７８】
このように、遊技機５０の下側に位置して外枠５２が取り付けられる第１の下横板２２Ａ及び該第１の下横板２２Ａの遊技島１０内側に位置した第２の下横板２２Ｂとを備えている。そして、第１の下横板２２Ａの両端部は両縦板１６に取り外し可能に固定され、第２の下横板２２Ｂは前後移動可能で且つ取り外し可能に両縦板１６に保持されると共に、遊技機５０の外枠５２は第２の下横板２２Ｂに取り付けられ、更に前後位置調整用の取付具を介して外枠５２は第１の下横板２２Ａに取り付けられているので、島枠１４が金属製にて構成されている場合でも、上横板２０と下横板２２とを容易に交換することができる。また、遊技機５０の前後方向の傾斜角を容易に調整することができる。これにより、島枠１４全体を分解することなく上横板２０及び下横板２２（第１の下横板２２Ａ及び第２の下横板２２Ｂを交換することが可能となる。
【００７９】
尚、実施例では、固定部材４０を釘で説明したが、固定部材４０は釘に限らず、保持具２８を縦板１６に固定することができれば、木ねじ、或いは、ボルトなどであっても差し支えない。
【００８０】
また、係合部３２の貫通孔３４Ａは、係合部３２に固定された上横板２０及び下横板２２に遊技機５０の外枠５２が固定された状態で、遊技機５０にガタ付きなどが発生せず確実に固定できれば、係合部３２の長手方向両端近傍に２箇所、或いは、係合部３２の長手方向略中央に１箇所設けても差し支えない。
【００８１】
また、実施例４、５では、金属製にて構成された縦板１６の両端部近傍を折曲して固定部１８を設けたが、固定部１８の部分に、実施例１〜３のように保持具２８を固定部材４０にて固定、或いは、固定部１８の部分に保持具２８を溶接固定しても差し支えない。
【００８２】
また、勿論本発明は、上記各実施例のみに限定されるものではなく、この発明の範囲を逸脱することなく他の様々な変更を行っても本発明は有効である。
【図面の簡単な説明】
【００８３】
【図１】本発明の一実施例を示す遊技機取付用の島枠を備えた遊技島（一部）の正面図である（実施例１）。
【図２】同図１から遊技機を外した遊技島の拡大正面図である。
【図３】島枠の正面図である。
【図４】本発明の遊技機取付用の島枠に固定する保持具の斜視図である。
【図５】保持具を固定した遊技機取付用の島枠（一部図示）の正面図である。
【図６】上横板の端部を保持具に挿入する状態を示す島枠（一部図示）の斜視図である。
【図７】保持具に固定部材で上横板を固定した状態を示す島枠（一部図示）の斜視図である。
【図８】他の保持具の斜視図である（実施例２）。
【図９】保持具を固定した遊技機取付用の島枠（一部図示）の正面図である。
【図１０】上横板の端部を保持具に挿入する状態を示す島枠（一部図示）の斜視図である。
【図１１】保持具に固定部材で上横板を固定した状態を示す島枠（一部図示）の斜視図である。
【図１２】他の保持具の斜視図である（実施例３）。
【図１３】保持具を固定した遊技機取付用の島枠（一部図示）の正面図である。
【図１４】上横板の端部を保持具に挿入する状態を示す島枠（一部図示）の斜視図である。
【図１５】保持具に固定部材で上横板を固定した状態を示す島枠（一部図示）の斜視図である。
【図１６】上横板の端部を固定部に挿入する状態を示す島枠（一部図示）の斜視図である（実施例４）。
【図１７】上横板の端部を固定部に挿入する状態を示す島枠（一部図示）の斜視図である（実施例５）。
【図１８】下横板（第１の下横板、第２の下横板）の端部を保持具に挿入する状態を示す島枠（一部図示）の斜視図である（実施例６）。
【図１９】遊技機の外枠を下横板（第１の下横板、第２の下横板）に取り付けた状態を示す島枠の斜視図である。
【符号の説明】
【００８４】
１０  遊技島
１４  島枠
１６  縦板
１８  固定部
１９  貫通孔
２０  上横板
２２  下横板
２６  挿入部
２８  保持具
３０  固定片
３２  係合部
３４  固定孔
４０  固定部材
５０  遊技機
５２  外枠
【図１】
2007319443.tif 000003
【図２】
2007319443.tif 000004
【図３】
2007319443.tif 000005
【図４】
2007319443.tif 000006
【図５】
2007319443.tif 000007
【図６】
2007319443.tif 000008
【図７】
2007319443.tif 000009
【図８】
2007319443.tif 000010
【図９】
2007319443.tif 000011
【図１０】
2007319443.tif 000012
【図１１】
2007319443.tif 000013
【図１２】
2007319443.tif 000014
【図１３】
2007319443.tif 000015
【図１４】
2007319443.tif 000016
【図１５】
2007319443.tif 000017
【図１６】
2007319443.tif 000018
【図１７】
2007319443.tif 000019
【図１８】
2007319443.tif 000020
【図１９】
2007319443.tif 000021